(57)【要約】    【課題】  より精度良くタイヤの性能予測を行う。    【解決手段】  タイヤの性能をコンピュータを用いて予測するタイヤの性能予測方法であって、前記タイヤを数値解析法により取り扱い可能な要素でモデル化した初期タイヤモデルを設定するステップＳ１、前記初期タイヤモデルを予め定めた条件に基づいて外径を成長させた成長タイヤモデルを作る成長ステップＳ２及び予め定めた条件に基づいて前記成長タイヤモデルからタイヤ性能に関する物理量を取得するステップＳ４を含むことを特徴とする。【選択図】  図２
2006240540.tif 000002
【特許請求の範囲】
【請求項１】
タイヤの性能をコンピュータを用いて予測するタイヤの性能予測方法であって、
前記タイヤを数値解析法により取り扱い可能な要素でモデル化した初期タイヤモデルを設定するステップ、
予め定めた条件に基づいて前記初期タイヤモデルの外径を成長させることにより成長タイヤモデルを設定する成長ステップ及び
前記成長タイヤモデルからタイヤ性能に関する物理量を取得するステップを含むことを特徴とするタイヤの性能予測方法。
【請求項２】
前記初期タイヤモデルは、タイヤコードをモデル化した第１の要素を含むとともに、
前記成長ステップは、初期タイヤモデルの前記第１の要素に永久伸びを与える工程を含む請求項１記載のタイヤの性能予測方法。
【請求項３】
前記タイヤコードは、ベルトコード又はカーカスコードである請求項２記載のタイヤの性能予測方法。
【請求項４】
前記初期タイヤモデルは、ゴムをモデル化した第２の要素を含むとともに、
前記成長ステップは、初期タイヤモデルの前記第２の要素のモジュラスを低下させる工程を含む請求項１乃至３のいずれかに記載のタイヤの性能予測方法。
【請求項５】
前記ゴムは、ベルトコードを被覆するトッピングゴムである請求項４記載のタイヤの性能予測方法。
【請求項６】
タイヤを数値解析法により取り扱い可能な要素でモデル化した初期タイヤモデルを設定するステップ、
予め定めた条件に基づいて前記初期タイヤモデルの外径を成長させることにより成長タイヤモデルを設定する成長ステップ、
予め定めたテスト条件に基づいて前記成長タイヤモデルの接地面形状を計算するステップ、
前記接地面形状が許容範囲内か否かを判断する判定ステップ、
前記接地面形状が許容範囲内でないときに許容範囲内になるまで初期タイヤモデルを変更するステップ
及び前記接地面形状が許容範囲内となったときに初期タイヤモデルに基づいてタイヤを設計するステップを含むことを特徴とするタイヤの設計方法。
【請求項７】
前記初期タイヤモデルのトレッド部には、ショルダリブを含むリブパターンが設定されるとともに、
前記判定ステップは、前記接地面形状において、前記ショルダリブのタイヤ軸方向内側の接地長さとタイヤ軸方向外側の接地長さとの比が予め定めた許容値か否かを判断する工程を含むことを特徴とする請求項６記載のタイヤの設計方法。
【発明の詳細な説明】
【技術分野】
【０００１】
本発明は、タイヤの性能予測方法及び設計方法に関する。
【背景技術】
【０００２】
近年、タイヤ性能は、コンピュータを用いたシミュレーションにより予測することが可能である（例えば下記特許文献１参照）。この方法は、タイヤを数値解析が可能な有限個の要素で分割したタイヤモデルを設定するステップと、該タイヤモデルに所定の境界条件を与えて微小時間毎に変形計算（シミュレーション）を行うステップとを含んでいる。シミュレーションの結果を参照することより、タイヤを実際に試作することなく、例えば接地面形状、接地圧、コーナリングフォース又は摩耗エネルギーといった種々のタイヤ性能に関する情報を知り得る。そして、前記タイヤ性能が許容範囲と認められる場合、前記タイヤモデルに基づいてタイヤの具体的な設計ないし試作が行われる。
【０００３】
【特許文献１】特開平１１−１５３５２０号公報
【発明の開示】
【発明が解決しようとする課題】
【０００４】
ところで、タイヤは、新品の状態から初期走行（これはタイヤのカテゴリによっても変わるが概ね１０００〜５０００ｋｍ程度）すると、新品時に比べて外径が増加するいわゆる成長が生じる。この成長のほぼ９割は、前記初期走行によって生じる。タイヤの成長の要因は種々考えられるが、主な原因はタイヤコードの永久伸びやゴムのモジュラスの低下と考えられる。
【０００５】
しかしながら、タイヤの摩耗ライフを仮に１０００００ｋｍ程度とすると、タイヤが設計時の形状で走行する距離は摩耗ライフ全体の１ないし５％程度に過ぎず、摩耗ライフのうち大部分の距離は成長後の形状によって走行されることになる。従って、タイヤ性能をより実走行状況に応じて計算ないし評価するためには、新品時のみならず成長後のタイヤ形状をも予測し、かつこれに基づいてシミュレーションを行うことが効果的である。同様に、タイヤを設計する場合において、新品時の形状のみならず、成長後の形状を予測しかつそれが最適であるか否かについての十分な検討が必要である。
【０００６】
本発明は、以上のような問題点に鑑み案出なされたもので、精度良くタイヤの性能予測ないし設計を行いうるタイヤの性能予測方法及び設計方法を提供することを目的としている。
【課題を解決するための手段】
【０００７】
本発明のうち請求項１記載の発明は、タイヤの性能をコンピュータを用いて予測するタイヤの性能予測方法であって、前記タイヤを数値解析法により取り扱い可能な要素でモデル化した初期タイヤモデルを設定するステップ、予め定めた条件に基づいて前記初期タイヤモデルの外径を成長させることにより成長タイヤモデルを設定する成長ステップ及び前記成長タイヤモデルからタイヤ性能に関する物理量を取得するステップを含むことを特徴とする。
【０００８】
また請求項２記載の発明は、前記初期タイヤモデルは、タイヤコードをモデル化した第１の要素を含むとともに、前記成長ステップは、初期タイヤモデルの前記第１の要素に永久伸びを与える工程を含む請求項１記載のタイヤの性能予測方法である。
【０００９】
また請求項３記載の発明は、前記タイヤコードは、ベルトコード又はカーカスコードである請求項２記載のタイヤの性能予測方法である。
【００１０】
また請求項４記載の発明は、前記初期タイヤモデルは、ゴムをモデル化した第２の要素を含むとともに、前記成長ステップは、初期タイヤモデルの前記第２の要素のモジュラスを低下させる工程を含む請求項１乃至３のいずれかに記載のタイヤの性能予測方法である。
【００１１】
また請求項５記載の発明は、前記ゴムは、ベルトコードを被覆するトッピングゴムである請求項４記載のタイヤの性能予測方法である。
【００１２】
また請求項６記載の発明は、タイヤを数値解析法により取り扱い可能な要素でモデル化した初期タイヤモデルを設定するステップ、予め定めた条件に基づいて前記初期タイヤモデルの外径を成長させることにより成長タイヤモデルを設定する成長ステップ、予め定めたテスト条件に基づいて前記成長タイヤモデルの接地面形状を計算するステップ、前記接地面形状が許容範囲内か否かを判断する判定ステップ、前記接地面形状が許容範囲内でないときに許容範囲内になるまで初期タイヤモデルを変更するステップ及び前記接地面形状が許容範囲内となったときに初期タイヤモデルに基づいてタイヤを設計するステップを含むことを特徴とするタイヤの設計方法である。
【００１３】
また請求項７記載の発明は、前記初期タイヤモデルのトレッド部には、ショルダリブを含むリブパターンが設定されるとともに、前記判定ステップは、前記接地面形状において、前記ショルダリブのタイヤ軸方向内側の接地長さとタイヤ軸方向外側の接地長さとの比が予め定めた許容値か否かを判断する工程を含むことを特徴とする請求項６記載のタイヤの設計方法である。
【発明の効果】
【００１４】
請求項１記載の発明によれば、初期タイヤモデルから、予め定めた条件に基づいて外径を成長させた成長タイヤモデルが得られる。そして、該成長タイヤモデルに基づいてタイヤ性能に関する物理量が取得される。従って、経時変化による成長したタイヤの性能を評価しうる。
【００１５】
また請求項７記載の発明によれば、成長タイヤモデルの接地面形状を最適化しうる初期タイヤモデルを得ることができ、かつ、それに基づいて新品時のタイヤ形状を設計することができる。従って、現実の走行状況に沿ったタイヤの設計が可能になる。
【発明を実施するための最良の形態】
【００１６】
以下、本発明の実施の一形態を図面に基づき説明する。
図１には、本発明の性能予測方法ないし設計方法を実施するためのコンピュータ装置１の一例が示されている。この装置１は、本体１ａと、入力手段としてのキーボード１ｂ、マウス１ｃと、出力手段としてのディスプレイ装置１ｄとから構成されている。コンピュータ装置１ａには、図示していないが、演算処理装置（ＣＰＵ）、ＲＯＭ、作業用メモリー、磁気ディスクなどの大容量記憶装置、ＣＤ−ＲＯＭやフレキシブルディスクのドライブ１ａ１、１ａ２などの記憶装置が適宜設けられる。
【００１７】
図２には、本発明のタイヤの性能予測方法を含むタイヤ設計方法の手順の一例が示される。タイヤの性能は、タイヤに関する種々の性能を含むが、本実施形態では最も基本的な性能として耐摩耗性能を取り上げる。この耐摩耗性は、トレッドの接地面形状から概ね予測することができる。
【００１８】
先ず本実施形態のタイヤの設計方法では、タイヤを数値解析法（本例では有限要素法）により取り扱い可能な要素でモデル化した初期タイヤモデルが設定される（ステップＳ１）。ここで、初期タイヤモデルとは、成長していない未走行のタイヤ、言い換えると加硫直後の寸法を持ったタイヤである。
【００１９】
図３には、初期タイヤモデル２の一例が視覚化して示される。本実施形態の初期タイヤモデル２は、小型トラック用ラジアルタイヤがモデル化されたもので、ボディモデル部２Ａとトレッドゴムモデル部２Ｂとで構成される。前記トレッドゴムモデル部２Ｂは、本実施形態では、トレッド溝の溝底を通りかつトレッド面と実質的に平行な仮想曲面Ｐよりもタイヤ半径方向外側の部分をなすトレッドゴムをモデル化したものとして定義される。従って、前記ボディモデル部２Ａは、この仮想曲面Ｐよりもタイヤ半径方向の内側部分を構成する。
【００２０】
解析対象となるトラック用ラジアルタイヤ（図示省略）は、スチールコードからなる少なくとも１枚のカーカスプライからなるカーカスと、複数枚のスチールコードベルトプライからなるベルト層とを含んでいる。ただし、解析対象となるタイヤは、実在するもののみならず、実在していない設計段階のものでも良い。
【００２１】
前記ボディモデル部２Ａは、タイヤコードをモデル化した複数個の第１の要素ｅ１と、ゴム部分をモデル化した複数個の第２の要素ｅ２とを含んで設定される。
【００２２】
前記第１の要素ｅ１は、タイヤコードとしてカーカスプライのカーカスコードをモデル化したカーカスコードモデル部２Ａ１（グレー色で示す。）と、ベルトプライのベルトコードをモデル化したベルトコードモデル部２Ａ２（やや太い線で示す。）とを含む。
【００２３】
図４（Ａ）には、一例として積層された２枚のベルトプライｆの部分斜視図が示され、同図（Ｂ）はそれと等価な解析モデルが視覚化かつ分解されて示される。各ベルトプライｆは、ベルトコードｃ１を配列したコード層ｃと、それを被覆するトッピングゴムｔとから構成される。ベルトプライの各コード層ｃは、図４（Ｂ）のように、例えばコードｃ１の長手方向及びそれと直角な方向で引張剛性の異方性が定義されたシェル要素からなるベルトコードモデル部２Ａ２としてそれぞれモデル化される。また、ベルトコードモデル部２Ａ２は、例えば四辺形ないし三角形状のシェル要素の集合体で作ることができる。カーカスプライについてもこれと同様にモデル化しうる。
【００２４】
第１の要素ｅ１には、それぞれ要素番号、節点番号、節点座標、要素形状及び／又は各コードに対応した材料物性値（弾性率、密度等）がそれぞれ定義され、前記コンピュータ装置１に記憶される。従って、各要素ｅ１は、実際には数値データを構成する。
【００２５】
前記第２の要素ｅ２は、例えばサイドウォールゴムをモデル化したサイドウォールゴムモデル部２Ａ３と、ビード部に配されたクリンチゴムをモデル化したクリンチゴムモデル部２Ａ４と、タイヤ内腔に配されたインナーライナーゴムをモデル化したインナーライナーゴムモデル部２Ａ５とを含む。各ゴムモデル部２Ａ３ないし２Ａ５は、いずれも微小形状の三次元ソリッド要素の複数個からなる。また本実施形態において、図４（Ａ）で示したベルトプライｆのトッピングゴムｔも、例えば三次元のソリッド要素からなるトッピングゴムモデル部２Ａ６としてモデル化されている。
【００２６】
第２の要素ｅ２にも、それぞれ要素番号、節点番号、節点座標、要素形状及び／又は各コードに対応した材料物性値（複素弾性率、モジュラス、密度等）がそれぞれ定義され、前記コンピュータ装置１に記憶される。
【００２７】
また、ボディモデル部２Ａは、上記の各モデル部の他にビードコアがモデル化されたビードコアモデル部２Ａ７を含んでいる。ビードコアモデル部２Ａ７は、例えば剛体要素を用いてモデル化される。なお、各モデルは例示であり、必要に応じて他のモデル部を加えても良く、また減じても良い。
【００２８】
前記トレッドゴムモデル部２Ｂは、本実施形態において、ゴムをモデル化した第２の要素ｅ２だけで構成される。この第２の要素ｅ２には、例えば複数個の三次元ソリッド要素が用いられ、解析対象となるタイヤのトレッドパターンがほぼ忠実に再現されている。本実施形態において、トレッドモデル部２Ｂには、ショルダリブＬｓを含む合計６本のリブＬからなるリブパターンが設定されている。
【００２９】
またトレッドゴムモデル部２Ｂは、好ましくはボディモデル部２Ａよりも小さいタイヤ周方向のピッチで分割されるのが望ましい。これにより、接地面形状をより精度良くシミュレーションするのに役立つ。一例として、トレッドゴムモデル部２Ｂは、トレッド端部において１．５度以下のタイヤ周方向の角度ピッチで分割されるのが望ましい。
【００３０】
次に、本実施形態のタイヤの設計方法では、予め定めた条件に基づいて前記初期タイヤモデル２の外径を成長させることにより成長タイヤモデル３を設定する成長ステップが行われる（ステップＳ２）。
【００３１】
発明者らが行った種々の実験の結果、タイヤの成長は、トレッドのクラウン領域よりもショルダ領域において顕著に生じること、またその主たる原因は、ベルトコードの永久伸びの発生及び／又はベルトコードを被覆しているトッピングゴムのモジュラスの低下等にあることを知見した。
【００３２】
先ずベルトコードの永久伸びについて述べる。図５には、一般的なベルトコードについて、引張の力（Ｎ）とそれに伴うコードの伸び（％）との関係が示される。ベルトコードは、通常、複数本のフィラメントを撚り合わせた撚り線が用いられる。このため、撚りに起因した初期伸びとして０〜０．５％の範囲では非線形な挙動を示し、０．５％〜１．５％の範囲では、引張力と伸びとの線形な関係が得られる。継続的な内圧の作用及び走行に伴う周期的な歪の作用により、ベルトコードには撚りに変形が生じ、引張力が０になっても伸びが０に戻らず、永久伸びε0 が残ると考えられる。そして、この永久伸びε0 は、前記線形域（具体的には伸び曲線の０．５％伸びの位置Ａと１．５％伸びの位置Ｂとの区間）を延長した直線Ｌが横軸と交差する点Ｃが示す伸びとほぼ等しい。
【００３３】
従って、現実のタイヤ成長メカニズムをシミュレーションに取り入れるためには、各ベルトコードモデル部２Ａ２に、コードに沿った方向に永久伸びε0 を与えれば良い。以下、このようにベルトコードに永久伸びを与えて初期タイヤモデル２を成長させる方法を第１の成長方法と呼ぶ。
【００３４】
また、カーカスコードついても、初期走行によって永久伸びが生じると、タイヤの外径を成長させる。従って、初期タイヤモデル２から成長タイヤモデル３を得るためのさらに他の手法として、カーカスコードモデル２Ａ１に永久伸びを与える方法がある。永久伸びの求め方は、ベルトコードの場合と同様に、コードの力（又は応力）−伸び曲線から求めることができる。以下、カーカスコードに永久伸びを与えてタイヤを成長させる方法を第２の成長方法と言う。
【００３５】
また、ベルトプライを被覆しているトッピングゴムのうち、特にショルダ領域に配された部分は、走行時に大きな歪を受けることにより、モジュラスが大幅に低下することが種々の実験の結果判明した。このトッピングゴムのモジュラスの低下率は、加硫時の熱履歴、ゴム配合及び／又は初期走行時に作用する歪の大きさ等のパラメータによって種々異なるものになるが、概ねショルダー領域のトッピングゴムのモジュラスが当初の６０〜９０％程度めで低下することが判明した。
【００３６】
ショルダ領域のベルトプライのトッピングゴムのモジュラスが大きく低下すると、該ショルダ領域においてベルトプライのタイヤ周方向の長さ、特にショルダ領域での長さを大として外径を成長させる。従って、初期タイヤモデル２から成長タイヤモデル３を得るための他の手法として、ベルトコードモデル２Ａ２のタイヤ半径方向内、外に設定されるトッピングゴムモデル２Ａ６のモジュラスの低下、とりわけショルダ領域に配されたトッピングゴムモデルのモジュラスをより大きく低下させる方法が挙げられる。具体的には、前記のように、ショルダー領域のベルトプライのトッピングゴムモデル部２Ａ６のモジュラスを、初期タイヤモデル２で設定されたモジュラス値の好ましくは６０〜９０％、より好ましくは６０〜８０％とするのが好ましい。以下、このようにしてタイヤを成長させる方法を第３の成長方法と言う。
【００３７】
また、図６に示されるように、ベルトプライｆのタイヤ軸方向の全幅をＢＷとすると、ベルトプライのショルダー領域Ｓｈとしては、ベルトプライの端部から前記全幅ＢＷの１０％以上、より好ましくは１５％以上が望ましく、上限については２５％以下、より好ましくは２０％以下が望ましい。
【００３８】
以上のように、前記成長ステップは、上記第１ないし第３の成長方法の少なくとも一つ、好ましくは二つ、より好ましくは全てを採用することによって、初期タイヤモデル２の外径を、現実の成長メカニズムに合致した条件に基づいて増大させた成長タイヤモデル３を容易に得ることができる。
【００３９】
また、成長ステップにおいて、例えば第１の成長方法を採用する場合、ベルトコードモデル部２Ａ２には前記永久伸びε0 が与えられるが、この永久伸びは、０からε0 までの間、微小な増分で徐々に与えられる。コンピュータ装置１では、ベルトコードモデル部２Ａ２の微小な永久伸びが逐次与えられた各状態で、初期タイヤモデル２に発生する内部応力が計算され、それらの釣合から初期タイヤモデル２の変形形状が得られる。ベルトコードモデル２の永久伸びが最終的にε0 になったときに、最終的な成長タイヤモデル３の形状が得られる。そして、各要素の座標位置などが新たにコンピュータ装置１に記憶される。
【００４０】
また、他のパラメータ、例えばトッピングゴムのモジュラスを低下させる場合には、初期タイヤモデル２のトッピングゴムモデル部２Ａ６の材料物性を変更することにより、成長タイヤモデル３が得られる。なお、この成長タイヤモデル３は、遠心力及び／又は空気圧の作用時での比較において、初期タイヤモデル２に比して外径が増大する。図３には、仮想線にて成長タイヤモデル３の輪郭形状の一部が示される。
【００４１】
次に、本実施形態のタイヤの設計方法では、初期タイヤモデル２及び成長タイヤモデル３の接地面形状が計算される（ステップＳ３、Ｓ４）。
【００４２】
前記接地面形状を得るために、各種の条件が初期タイヤモデル２及び成長タイヤモデル３それぞれに設定される。設定される条件としては、各モデル２、３が装着されるリムに関する条件、充填される空気圧に関する条件及び負荷される垂直荷重に関する条件等が挙げられる。本実施形態において、これらの各条件は、初期タイヤモデル２及び成長タイヤモデル３ともに同一の条件が与えられる。
【００４３】
リムに関する条件としては、図７に示されるように、各タイヤモデル２ないし３のリム接触領域Ｂａ、Ｂａ及び仮想のリム巾Ｗを含む。前記リム接触領域Ｂａは、後のシミュレーションにおいて、変位不能に拘束されるとともに、仮想のリム幅Ｗに強制変位される。また、タイヤモデル２ないし３の仮想の回転軸（以下、単に「回転軸」という。）ＣＬは、前記リム拘束域Ｂａとの相対距離ｒが常に一定となるよう連結固定される。
【００４４】
また空気圧に関する条件としては、図７に示されるように、タイヤモデル２ないし３のインナーライナーゴムモデル部２Ａ５の表面に負荷される等分布荷重を含む。この荷重には、例えば規格で定められた最大の空気圧に相当する値が設定される。
【００４５】
また垂直荷重に関する条件としては、図８に示されるように、前記タイヤモデル２ないし３の回転軸ＣＬを垂直下方に押し下げる荷重の値がある。前記垂直荷重の値としては、例えば当該タイヤモデルの基礎となったタイヤの規格最大荷重などを用いるのが好適である。ただし、これらは任意に定めうる。
【００４６】
次に、前記各条件に基づいてタイヤモデル２ないし３を路面モデル４に静的に接地させてトレッドの接地面形状を求めるシミュレーション（変形計算）が行われる。本実施形態において、路面モデル４は、剛平面要素からなる水平面としてモデル化されている。また、この路面モデル４とタイヤモデル２ないし３との間には、現実に合わせて摩擦係数が定義される。
【００４７】
前記シミュレーションは、各タイヤモデルに前記諸条件を与えたときの変形状態が微小時間毎に計算され、その結果が逐次数値データとして出力される。このシミュレーションは、前記コンピュータ装置１と、汎用の有限要素解析アプリケーションソフトウエア（例えば米国リバモア・ソフトウエア・テクノロジー（ＬＳＴＣ）社製のアプリケーションソフト「ＬＳ−ＤＹＮＡ」等）とを用いて行われる。前記タイヤモデル２及び３のシミュレーションを終えると、その結果を適宜処理することにより、タイヤモデル２ないし３それぞれについて、トレッドが路面モデル４と接触している部分の輪郭形状である接地面形状を例えば二次元データに視覚化して表し得る。
【００４８】
図９（Ａ）には初期タイヤモデル２の接地面形状が、同図（Ｂ）には成長タイヤモデル３の接地面形状がそれぞれ示される。色彩の変化は、接地圧の大きさを示し、この実施形態では中央部が最も大きく、そこから外周部に向かって徐々に小さく変化している。また、タイヤ外径の差異等に基づき、初期タイヤモデル２と成長タイヤモデル３とでは、両接地面形状に違いが認められる。
【００４９】
次に、本実施形態では、前記２つの接地面形状がいずれも許容範囲内か否かを判断する判定ステップが行われる（ステップＳ６）。接地面形状が許容範囲内か否かは重視して評価すべきタイヤ性能との関係で種々定めることができる。本実施形態の判定ステップは、接地面形状において、図９（Ａ）に示されるように、ショルダリブＬｓのタイヤ軸方向内側の接地長さＳｉとタイヤ軸方向外側の接地長さＳｏとの比（Ｓｉ／Ｓｏ）が予め定めた許容値か否かを判断する工程により行われる。
【００５０】
トレッドゴムに関して、特に問題となりやすいのはショルダーリブＬｓの摩耗である。その耐摩耗性を評価する一つのパラメータとして、前記接地長さの比（Ｓｉ／Ｓｏ）が挙げられる。即ち、前記比（Ｓｉ／Ｓｏ）が大きくなると、ショルダーリブＬｓのタイヤ軸方向の内縁に大きな接地圧が作用する一方、外縁でのすべりが大きくなり該外縁に偏摩耗が生じやすくなる。逆に前記比（Ｓｉ／Ｓｏ）が小さすぎると、ショルダーリブＬｓの内縁に偏摩耗が生じやすい。従って、各々の接地面形状から前記比（Ｓｉ／Ｓｏ）を計算し、これを予め定めた許容値と比較することによって、初期タイヤモデル２のみならず、初期走行によって生じる成長後の成長タイヤモデル３についても、ショルダーリブＬｓの耐摩耗性が定量的に評価できる。
【００５１】
前記比（Ｓｉ／Ｓｏ）の許容値については、評価の対象となるタイヤサイズに関する種々の実験データや経験則を使って、耐摩耗性に優れた好ましい範囲を適宜定めることができる。この実施形態では前記比（Ｓｉ／Ｓｏ）の許容値として、１．００〜１．０５が定められる。
【００５２】
接地面形状が許容範囲内か否かの基準は、重視したいタイヤ性能に応じて適宜変更される。即ち、本実施形態では、ショルダーリブＬｓの耐摩耗性に重点がおかれているため、前記基準は、ショルダーリブの接地長さの比が採用されたに過ぎない。従って、例えばクラウンリブの耐摩耗性などを重視したい場合、前記基準はそれに関連したパラメータになり、本実施形態とは当然異なったものになる。
【００５３】
次に、本実施形態の設計方法では、前記２つの接地面形状が許容範囲内でないとき（ステップＳ６でＮ）、許容範囲内になるまで初期タイヤモデル２を変更するステップが行われる。即ち、ステップＳ１〜Ｓ５までが再度実行される。即ち、初期タイヤモデル２を改めて設定し、それに基づいた新たな成長タイヤモデル３が設定される。初期タイヤモデル２を再度設定する際には、例えばカーカスコードモデル部２Ａ１のプロファイル形状、ベルトコードモデル２Ａ２の巾ないし剛性、トレッド面の曲率半径、リブ幅、接地端のプロファイル形状又はゴム材のモジュラスなどの少なくとも一つが改良されるることが望ましい。
【００５４】
また、接地面形状が許容範囲内か否かは、現実の走行距離が多い成長タイヤモデル３の接地面形状だけについて判断しても良いが、好ましくは初期タイヤモデル２及び成長タイヤモデル３の二つの接地面形状について、ともに判断することが望ましい。つまり、初期タイヤモデル２又は成長タイヤモデル３のいずれか一方でも許容範囲内でない場合には、初期タイヤモデル２を変更することが望ましい。これによって、新品タイヤ及び成長タイヤのいずれにおいても、ショルダーリブの耐摩耗性の向上が期待できる。
【００５５】
次に、本実施形態の設計方法では、前記接地面形状が許容範囲内となったときに初期タイヤモデル２に基づいてタイヤを設計する工程が行われる（ステップＳ７）。即ち、初期タイヤモデル２に設定された各種の寸法、材料特性、トレッドパターンなどを用いて製品タイヤの設計、加硫金型の設計を行うことができる。
【００５６】
以上述べたように、本実施形態のタイヤの設計方法によれば、初期のタイヤモデル２及び成長タイヤモデル３の各接地面形状を計算し、かつそれらが許容範囲内である初期タイヤモデル２が設定される。従って、これに基づいてタイヤを設計することにより、新品時及び成長時のいずれにおいても接地面形状を最適化でき、耐摩耗性に優れたタイヤが効率的に設計される。
【実施例】
【００５７】
先ず、実際にタイヤサイズ１２Ｒ２２．５のトラック用ラジアルタイヤが試作された。次に、このタイヤをリム（２２．５×８．２５）に装着後、内圧８５０ｋＰａを充填し、縦荷重３１．８７ｋＮでドラム試験器上で１０００km走行させた（初期走行）。そして、新品時と初期走行後との接地面形状を撮像した。結果は、図１０に略示される。
【００５８】
次に、前記試作タイヤに基づいて、同サイズの初期タイヤモデルが設定された。この初期タイヤモデルに対して、成長ステップを表１の仕様に基づいて行い複数種類の成長タイヤモデルが設定された。そして、各タイヤモデルについて、同一のリム、内圧及び荷重条件で接地面形状及び前記比（Ｓｉ／Ｓｏ）が計算された。計算結果などは表１に示される。
【００５９】
【表１】
2006240540.tif 000003
【００６０】
テストの結果、実施例の成長タイヤモデルは、試作結果と非常に近い形に成長していることが確認できた。また代表例として、タイヤモデル４の接地面形状を図１１に示す。
【図面の簡単な説明】
【００６１】
【図１】本発明のシミュレーション方法を実施するためのコンピュータ装置の構成図である。
【図２】本発明の方法の処理手順の一例を示すフローチャートである。
【図３】初期タイヤモデルを視覚化して示す断面図である。
【図４】（Ａ）はベルトプライの部分斜視図、（Ｂ）はそれをモデル化した模式図である。
【図５】タイヤコードの一例としてベルトコードの引張力−伸びの関係を示すグラフである。
【図６】ベルトプライのショルダー領域を説明する断面図である。
【図７】タイヤモデルに設定されるリムに関する条件を説明する線図である。
【図８】タイヤモデルの接地面形状を得るシミュレーションを説明する模式図である。
【図９】（Ａ）は初期タイヤモデルの接地面形状図、（Ｂ）は成長タイヤモデルの接地面形状図である。
【図１０】試作タイヤの新品時及び成長時の接地面形状図である。
【図１１】タイヤモデル４の接地面形状図である。
【符号の説明】
【００６２】
２  初期タイヤモデル
２Ａ１  カーカスプライモデル部
２Ａ２  ベルトプライモデル部
２Ａ３  サイドウォールゴムモデル部
２Ａ４  クリンチゴムモデル部
２Ａ５  インナーライナーゴムモデル部
２Ａ６  トッピングゴムモデル部
２Ａ７  ビードコアモデル部
３  成長タイヤモデル
Ｌｓ  ショルダリブ
ｅ１  第１の要素
ｅ２  第２の要素
【図１】
2006240540.tif 000004
【図２】
2006240540.tif 000005
【図３】
2006240540.tif 000006
【図４】
2006240540.tif 000007
【図５】
2006240540.tif 000008
【図６】
2006240540.tif 000009
【図７】
2006240540.tif 000010
【図８】
2006240540.tif 000011
【図１０】
2006240540.tif 000012
【図９】
2006240540.tif 000013
【図１１】
2006240540.tif 000014